(57)【要約】【目的】噴出孔口６からジェット流が噴出する上部袋体２と下部袋体３とを連結することにより、噴出孔口６近辺にある浮遊物体４が、手の握力で発生するジェット流により浮遊し、種々の形態を作り出し、楽しく、指関節のリハビリテーションを行うことができる訓練用玩具を提供すること。【構成】手の握力により空気を噴出する噴出孔口６を設けた下部袋体３の上部に、噴出孔口６から上部袋体２へジェット流が噴出するように上部袋体２の下部を連結し、ジェット流により浮遊する浮遊物体４を上部袋体２内に入れた訓練用玩具である。【選択図】　　　図２
2004024455.tif 000002
【特許請求の範囲】
【請求項１】
手の握力により空気を噴出する噴出孔口６を設けた下部袋体３の上部に、該噴出孔口６から上部袋体２へジェット流が噴出するように該上部袋体２の下部を連結し、該ジェット流により浮遊する浮遊物体４を該上部袋体２内に入れたことを特徴とする訓練用玩具。
【請求項２】
前記浮遊物体４をプラスチック製のボール４′にした請求項１記載の訓練用玩具。
【請求項３】
前記上部袋体２を透明にし、該内壁面に前記ボールが入る複数のポケット７を設けた請求項２記載の訓練用玩具。
【請求項４】
前記下部袋体３と前記上部袋体２との連結部に前記噴出孔口６の大きさを調節自在にする調整弁１０を設けた請求項１〜３のいずれか１項記載の訓練用玩具。
【請求項５】
前記下部袋体３と上部袋体２との連結部を着脱自在な連結手段にした請求項１〜４のいずれか１項記載の訓練用玩具。
【発明の詳細な説明】
【０００１】
【発明の属する技術分野】
本発明は、老人や子供が手を握ったり、開いたりして、袋体内の空気を噴出することにより、手のリハビリテーションを行う訓練用玩具に関する。
【０００２】
【従来の技術】
従来、老人達が手の関節リハビリテーションを行うとき、復元力のある丸いボール体を強く握ったり、手を開いたりし、また、ゴム製又はスプリング製の輪を強く握ったり、開いたりしてリハビリテーションを行っていた。
丸いボール体又はゴム製の輪を強く握ったり、緩めたりする運動は、あまりにも単純であり、リハビリテーションを行うことに飽きがすぐに来て、長続きしなかった。
【０００３】
また、丸いボール体は丸いので掴みにくく、強く握ったり、緩めたりする指関節のリバビリテーションには適さなかった。
【０００４】
また、ゴム製又はスプリング製の輪の場合、片手で行うと時は良いが、両手で行うことは困難である。
【０００５】
【発明が解決しようとする課題】
従来の丸いボール体及びゴム製又はスプリング製の輪を改良して、両手で、楽しくリハビリテーションを行うことができ、そして、手の握力の強さにより、浮遊体の浮遊状態を種々に変化させ、飽きの来ない手のリハビリテーションを行うことができる訓練用玩具を提供することである。
【０００６】
【課題を解決するための手段】
上記目的を達成するために、請求項１に係る発明は、手の握力により空気を噴出する噴出孔口を設けた下部袋体の上部に、該噴出孔口から上部袋体へジェット流が噴出するように該上部袋体の下部を連結し、該ジェット流により浮遊する浮遊物体を該上部袋体内に入れた訓練用玩具である。
【０００７】
請求項１に係る発明によれば、噴出孔口からジェット流が噴出するように上部袋体の下部を連結することにより、噴出孔口近辺にある浮遊物体が、手の握力で発生するジェット流により浮遊し、種々の浮遊形態を作り出し、楽しく、指関節のリハビリテーションを行うことができる。
【０００８】
上記目的を達成するために、請求項２に係る発明は、浮遊物体をプラスチック製のボールにした訓練用玩具である。
請求項２に係る発明によれば、浮遊物体がプラスチック製なので、いろんな色及び形のボールが簡単に製作でき、上部袋体内においての、ジェットによる浮遊形態を種々に作り出すことができ、さらに、楽しく、手のリハビリテーションを行うことができる。
【０００９】
上記目的を達成するために、請求項３に係る発明は、上部袋体を透明にし、該内壁面にボールが入る複数のポケットを設けた訓練用玩具である。
請求項３に係る発明によれば、パチンコゲームのようにポケット（穴）にボールを入れようとするゲーム感覚ができ、子供も楽しく手のリハビリテーションができる。
【００１０】
上記目的を達成するために、請求項４に係る発明は、下部袋体と上部袋体との連結部に噴出孔口の大きさを調節自在にする調整弁を設けた訓練用玩具である。
請求項４に係る発明によれば、老人等の握力強さに応じて、噴出孔の大きさを調節することができるので、指関節の治療程度に応じて、手のリハビリテーションを行うことができる。
【００１１】
上記目的を達成するために、請求項５に係る発明は、上部袋体と下部袋体との連結部を着脱自在な連結手段にした訓練用玩具である。
請求項５に係る発明によれば、種々の上部袋体を取り替えて、下部袋体に取り付けることができるので、老人及び子供等の握力強さ又は興味に応じて、指関節のリハビリテーションを行うことができる。
【００１２】
【発明の実施の形態】
本発明の実施の形態について図面を参照して説明する。
図１は本発明の第１実施形態である訓練用玩具１の正面断面図である。
図１に示すように、第１実施形態の訓練用玩具１は、上部袋体２、下部袋体３、噴出孔口６、逆止弁５及び浮遊物体４等から構成される。
上部袋体２は、プラスチック、竹、木、金属等の材料から作られ、プラスチック製の場合は透明であり、竹及び木等の場合はネット状である。そして、上部袋体２の内部が見えるように成っており、また、通気性があるようになっている。
なお、上部袋体及び下部袋体の材料を生分解プラスチックにすると、地中にその訓練用玩具を埋めて廃棄する場合、訓練用玩具は地中にて分解し、公害にはならない。
【００１３】
下部袋体３の材料は弾性的に復元力のあるゴム、プラスチックなどからなり、特に、発泡プラスチック等がよい。
下部袋体３の形状は、両手で掴みやすい、ウリ型又は円筒型が良く、下部袋体の上部にジェット噴出孔口を設け、上部袋体にジェットが噴出するように下部袋体に上部袋体を連結する。なお、下部袋体３の形状を円盤型にし、横でなく、上下に掴みやすくしても良い。
下部袋体３には逆止弁５を設け、手の握力によるジェットの噴出時には、下部袋体の空気が逆止弁５から通過せず、噴出孔口６から上部袋体内にジェット流を噴出させ、上部袋体内にある浮遊物体４又はプラスチック製のボール４′を浮遊させる。
手を開いた時、下部袋体の復元力により、空気が逆止弁６を通って吸い込まれ、下部袋体３に入り、下部袋体を元の状態に戻す。
手の握りと開きを何度と繰り返して、手のリハビリテーションを行う訓練用玩具となるのである。
【００１４】
ジェット流噴出孔口は１個でも、複数個でも良く、浮遊物体又はプラスチック製ボールが上部袋体内部を種々の形態に浮遊できるようにする。
なお、浮遊物体はジェット流で浮遊するものなら何でも良く、例えば、木、プラスチック等である。
【００１５】
図２は、本発明の使用状態を説明するもので、図２に示すように下部袋体３を両手で持ち、手の握力より噴出孔口６からジェット流を吹き出す。噴出孔口６近辺にあった浮遊物体４がジェット流により吹き飛ばされ、吹き飛ばされた浮遊物体が美しい模様を形成する。
【００１６】
図３に示されるように、上部袋体２の内壁面にポケット７を複数個設け、手の握力により、発生するジェット流で、プラスチック製のボール４′をポケット７に入れる競争を行うことができる。ポケットにいろいろな色を付けると共に、プラスチック製のボールにも色を付け、ボール色と一致したポケットにボールを狙って入れるようにして、遊ぶこともできる。
【００１７】
図４に示すものは、下部袋体３と上部袋体２との連結部を着脱自在な連結手段を設けた連結部にしたものである。具体的には、雌ねじ８又はそれに対応する雄ねじ９を設けて、下部袋体３に対して、上部袋体２を着脱自在に連結可能にし、種々の上部袋体２を下部袋体３に取り付けることができる。なお、下部袋体と上部袋体との連結部にマグネット手段を設けても良い。
【００１８】
図５及び６に示されるものは、噴出孔口６の大きさを調節する調節弁１０を設け、外部の操作具１１により、強―弱に操作し、噴出孔口６の大きさを調節し、噴出孔口６を小さくしたときは、強い握力で、噴出孔口６を大きくしたときは、弱い握力で手のリハビリテーションが可能である。
【００１９】
【発明の効果】
本発明は以上詳述したように、下部袋体と噴出孔口からジェット流が噴出する上部袋体の下部とを連結することにより、噴出孔口近辺にある浮遊物体が、手の握力で発生するジェット流により浮遊し、種々の形態を作り出し、楽しく、手指関節のリハビリテーションを行うことができる。
【００２０】
請求項２に係る発明によれば、浮遊物体がプラスチック製にしたので、いろんな色及び形のボールが簡単に製作でき、透明な上部袋体内においての、ジェットによる浮遊形態を種々に作り出すことができ、さらに、楽しく、手のリハビリテーションを行うことができる。
【００２１】
請求項３に係る発明によれば、パチンコゲームのようにポケット（穴）にボールを入れようとするゲーム感覚ができ、子供も楽しく遊べ、手のリハビリテーションを行うことができる。
【００２２】
請求項４に係る発明によれば、老人等の握力強さに応じて、噴出孔口の大きさを調節することできるので、指関節の治療程度に応じて、手のリハビリテーションを行うことができる。
【００２３】
請求項５に係る発明によれば、種々の上部袋体を下部袋体に取り付けることができるので、老人及び子供等の握力強さ及び興味に応じて、指関節のリハビリテーションを行うことができる。
【図面の簡単な説明】
【図１】本発明の第１実施形態である訓練用玩具の正面断面図である。
【図２】図１に示す第１実施形態の使用状態を説明する説明図である。
【図３】本発明の第２実施形態である訓練用玩具の正面断面図である。。
【図４】本発明の第３実施形態である訓練用玩具の部分正面断面図である。
【図５】本発明の第４実施形態である訓練用玩具の部分正面断面図である。
【図６】図５に示された訓練用玩具の部分正面図である。
【符号の説明】
１…訓練用玩具、２…上部袋体、３…下部袋体、４…浮遊物体、４′…プラスチックボール、５…逆止弁、６…噴出孔口、７…ポケット、８…雌ねじ、９…雄ねじ、１０…調整弁、１１…操作具
【図１】
2004024455.tif 000003
【図２】
2004024455.tif 000004
【図３】
2004024455.tif 000005
【図４】
2004024455.tif 000006
【図５】
2004024455.tif 000007
【図６】
2004024455.tif 000008